(57)【要約】情報装置（１００）は、ピックアップ（１２）と、ピックアップが滑動可能に装着される表面を有する棒状部材（１３、１４）と、ピックアップをトレース方向に、少なくとも速度可変で移動させる移動制御手段（２、４、６、３０）とを備える。移動制御手段は、書き込み又読み取りを行う際に、ピックアップを第１速度で移動させ、書き込み又は読み取りを行わない時間帯に、潤滑剤（１３ａ、１４ａ）を棒状部材の表面上に均すために、ピックアップを第１速度よりも高い第２速度で移動させる。これにより、簡単にして、ピックアップの移動時に発生し得る雑音或いは摩擦を低減する。
2008065700.tif 000002
【特許請求の範囲】
【請求項１】
記録媒体に情報の書き込み及び読み取りのうち少なくとも一方を行うためのピックアップと、
前記記録媒体の記録面に対するトレース方向に沿って長手状に延びると共に前記ピックアップが滑動可能に装着される表面を有する棒状部材と、
前記ピックアップを前記表面上で前記トレース方向に、少なくとも速度可変で移動させる移動制御手段と
を備えており、
前記表面上には、流動性の潤滑剤が配置されており、
前記移動制御手段は、前記書き込み又読み取りを行う際に、前記ピックアップを前記書き込み又は読み取り用の第１速度で移動させ、前記書き込み又は読み取りを行わない時間帯に、前記潤滑剤を前記表面上に均すために、前記ピックアップを前記第１速度よりも高い第２速度で移動させる
ことを特徴とする情報装置。
【請求項２】
前記移動制御手段は、前記ピックアップを、前記第１速度で移動させる前記トレース方向に沿った順方向に対して、逆である逆方向に、前記第２速度で移動させることを特徴とする請求の範囲第１項に記載の情報装置。
【請求項３】
前記移動制御手段は、前記ピックアップを前記逆方向に移動させるのに相前後して、前記ピックアップを前記順方向に前記第１速度よりも高い前記第２速度と同じ又は異なる第３速度で移動させる
ことを特徴とする請求の範囲第２項に記載の情報装置。
【請求項４】
前記移動制御手段は、前記ピックアップが前記第１速度で所定距離だけ移動する毎に、前記ピックアップを前記第２速度で移動させる
ことを特徴とする請求の範囲第１項に記載の情報装置。
【請求項５】
前記移動制御手段は、前記ピックアップが前記情報を区分して書き込み又は読み取りする際における区分の切れ間を、前記時間帯として、前記ピックアップを前記第２速度で移動させる
ことを特徴とする請求の範囲第１項に記載の情報装置。
【請求項６】
前記移動制御手段は、前記ピックアップが前記第１速度で所定距離だけ移動した後に最初に到来する前記切れ間を、前記時間帯として、前記ピックアップを前記第２速度で移動させる
ことを特徴とする請求の範囲第５項に記載の情報装置。
【請求項７】
前記移動制御手段は、前記ピックアップが前記第１速度で前記所定距離だけ移動した際に前記潤滑剤に斑が生じた旨を示すフラグを立て、前記切れ間が到来した際に、前記フラグにより前記斑が生じた旨が示されている場合に、前記ピックアップを前記第２速度で移動させる
ことを特徴とする請求の範囲第６項に記載の情報装置。
【請求項８】
前記ピックアップが前記情報を書き込み又は読み取りする際に前記第１速度で移動した前記トレース方向の位置を記憶する記憶手段を更に備え、
前記移動制御手段は、前記ピックアップが前記情報を書き込み又は読み取りした後に、前記ピックアップを、前記記憶された位置の少なくとも一部を通過するように前記第２速度で移動させる
ことを特徴とする請求の範囲第１項に記載の情報装置。
【請求項９】
前記移動制御手段は、前記第２速度での移動として、前記記録媒体に対するシーク若しくはサーチ動作と同様の動作又は該シーク若しくはサーチ動作を兼ねる動作を行う
ことを特徴とする請求の範囲第８項に記載の情報装置。
【請求項１０】
前記移動制御手段は、前記ピックアップが前記情報を区分して書き込み又は読み取りする際における全区分に係る情報の書き込み又は読み取りを完了した後に、前記ピックアップを前記第２速度で移動させる
ことを特徴とする請求の範囲第８項に記載の情報装置。
【請求項１１】
当該情報装置は、一つの本体ケース内に、前記情報の少なくとも一部としての音声情報を取得するマイクロフォンと共に収容されている
ことを特徴とする請求の範囲第１項に記載の情報装置。
【請求項１２】
記録媒体に情報の書き込み及び読み取りのうち少なくとも一方を行うためのピックアップと、前記記録媒体の記録面に対するトレース方向に沿って長手状に延びると共に前記ピックアップが滑動可能に装着される表面を有する棒状部材と、前記ピックアップを前記表面上で前記トレース方向に、少なくとも速度可変で移動させる移動制御手段とを備えており、前記表面上には、流動性の潤滑剤が配置されている情報装置において、前記ピックアップの移動を制御するピックアップ移動制御方法であって、
前記書き込み又読み取りを行う際に、前記移動制御手段によって、前記ピックアップを前記書き込み又は読み取り用の第１速度で移動させる書き込み又は読み取り工程と、
前記書き込み又は読み取りを行わない時間帯に、前記潤滑剤を前記表面上に均すために、前記移動制御手段によって、前記ピックアップを前記第１速度よりも高い第２速度で移動させる潤滑剤斑解消工程と
を備えることを特徴とするピックアップ移動制御方法。
【発明の詳細な説明】
【技術分野】
【０００１】
本発明は、例えばディスク状の記録媒体を記録したり、再生したりするレコーダ、プレーヤ、ドライブ等の一部又は全部をなす、ピックアップのトレース送り動作やスライダ又はステッピング動作の制御を行うディスク装置等の情報装置、及そのような情報装置におけるピックアップ移動制御方法の技術分野に関する。
【背景技術】
【０００２】
この種の情報装置には、例えば、ＤＶＤ、ＢＤ(Blue Ray Disc)、ＨＤＤ（High Density Disc）、ＣＤ（Compact Disc）等のディスク状の記録媒体がセットされる。例えば光ピックアップ或いは光学式ピックアップ等のピックアップは、このようにセットされた記録媒体の記録面に対するトレース方向（典型的には、ディスク状の記録媒体における径方向）に沿って配置されたシャフト上に、滑動可能に取り付けられる。ピックアップは、情報装置の動作時には、スライダ又はステッピングモータによって、シャフト上を移動され、例えば通常記録時におけるトレース送り動作、或いは通常記録時や特殊再生時におけるシーク動作等が行われる。このようなシャフト上には、オイル等の流動性のある潤滑剤が塗布されるのが一般的であり、ピックアップのシャフト上における滑動が可能となるものとされている。特に、ポータブルビデオカメラ等の携帯型の用途では、コンパクトな本体ケース或いはケーシング内に、このようなピックアップに隣接してマイクロフォンが配置されているディスク装置も提案されている（特許文献１参照）。【０００３】
【特許文献１】特開２００５−６３５３４号公報
【発明の開示】
【発明が解決しようとする課題】
【０００４】
しかしながら上述した技術によれば、シャフトに塗布されるオイルには、シャフト上におけるトレース方向位置に応じた斑が、大なり小なり発生し得る。かかる斑が発生すると、オイルが少ししかないトレース方向位置をピックアップが通過する際に、音や摩擦が発生する。この結果、特に上述したピックアップに隣接してマイクロフォンが配置されている携帯型のディスク装置の場合には、マイクロフォンで拾うべき音に機械雑音が混入してしまうという技術的問題点がある。或いは、マイクロフォンを伴わないディスク装置においても、ピックアップを介して読み取られる再生信号中や、書き込まれる記録信号中における雑音成分が増加したり、摩擦によりピックアップの寿命が縮んでしまうなどの技術的問題点がある。【０００５】
本発明は、例えば上述した問題点に鑑みなされたものであり、簡単にして、ピックアップの移動時に発生し得る雑音或いは摩擦を低減可能に構成された、情報装置及び該情報装置におけるピックアップ移動制御方法を提供することを課題とする。
【課題を解決するための手段】
【０００６】
本発明の情報装置は上記課題を解決するために、記録媒体に情報の書き込み及び読み取りのうち少なくとも一方を行うためのピックアップと、前記記録媒体の記録面に対するトレース方向に沿って長手状に延びると共に前記ピックアップが滑動可能に装着される表面を有する棒状部材と、前記ピックアップを前記表面上で前記トレース方向に、少なくとも速度可変で移動させる移動制御手段とを備えており、前記表面上には、流動性の潤滑剤が配置されており、前記移動制御手段は、前記書き込み又読み取りを行う際に、前記ピックアップを前記書き込み又は読み取り用の第１速度で移動させ、前記書き込み又は読み取りを行わない時間帯に、前記潤滑剤を前記表面上に均すために、前記ピックアップを前記第１速度よりも高い第２速度で移動させる。【０００７】
本発明の、例えばディスク装置である情報装置によれば、情報を記録する際における情報の書き込み時、又は情報を再生する際における読み取り時等の通常動作時には、移動制御手段によりピックアップがトレース方向に第１速度で移動（即ち、トレース送り）されつつ、ピックアップにより、情報が記録媒体に書き込まれるか又は情報が記録媒体から読み取られる。ここに本発明に係る「記録媒体」は、典型的には光ディスク等のディスク状の記録媒体であるが、その記録面に対してトレース方向が特定される限りにおいて、回転しない記録媒体や矩形の記録媒体であってもよい。本発明に係る「ピックアップ」は、典型的には、光ピックアップ或いは光学式ピックアップであるが、光学式に限定されず、トレース送り動作を伴う書き込み又は読み取りを行う限りにおいて、例えば光磁気方式などの他の電磁気的な書き込み又は読み取り方式等であってもよい。このようなピックアップの移動は、記録媒体の記録面に対するトレース方向に沿って延びる棒状部材の表面上で行われる。棒状部材は、例えば一対のガイドシャフトなど、一対をなすようにトレース方向に沿って平行に二本並べて設けられるが、これに限らず、一本でもよく、或いは三本以上も受けられてもよい。本発明に係る「トレース方向」は、典型的には、ディスク状の記録媒体における径方向（即ち、半径方向）であり、この場合通常は内周側から外周側へ向いているが、これに限られない。例えば、ディスク状の記録媒体における径方向に対して斜めに傾いた方向であっても、ディスク状の記録媒体の接線方向又はトラック方向に交差する方向であれば足りる。本発明に係る「第１速度」としては、例えば光ディスクを読み取りする際のトレース速度のように、トレース方向に、秒速にしてコンマ数ミクロンから数ミリ程度といった、典型的には非常に低い速度である。【０００８】
このようなトレース送り動作或いはスライダ又はステッピング動作を行う移動制御手段は、例えば、スライダモータ又はステッピングモータ、並びにコントローラを含むその駆動及び制御装置を備えて構成されており、ピックアップを、トレース方向に少なくとも速度可変で移動させる。ここに「少なくとも速度可変」とは、速度を変更可能であると共に、例えば、ピックアップの移動範囲、移動方向、移動加速度などの、ピックアップのトレース方向への動作に関連する他のパラメータについても、変更可能であってもよい意味である。【０００９】
本発明では特に、例えば直線状のシャフトである棒状部材は、ピックアップが滑動可能に装着される表面を有し、該表面上には、典型的には、不揮発性のオイル或いはグリースである、流動性の潤滑剤が、塗布等により配置されている。【００１０】
ここで仮に、通常の書き込みや読み取りにおける比較的低速度である第１速度のピックアップの移動を行い続けると、本願発明者の研究によれば、潤滑剤の棒状部材の表面上におけるトレース方向についての斑が、顕著に発生してしまう。これは、潤滑剤が、棒状部材の表面とこれに潤滑剤を介して対面するピックアップの滑動面との間に存在する微小空間内に、毛細管現象によって引き込まれるが故に、ピックアップが通過した後における棒状部材の表面には、相対的に少ない潤滑剤しか残されないことが原因となっていること考察される。更に、本願発明者の研究によれば、潤滑剤のトレース方向位置についての斑は、上述の如き比較的低速の移動中に一度生じたとしても、比較的高速の第２速度の移動で、相対的に潤滑剤が少ししかないトレース方向位置を通過するように、ピックアップを移動させれば、潤滑剤を棒状部材の表面上に均すことが可能となることが判明している。【００１１】
そこで本発明では、潤滑剤を棒状部材の表面上に均すために、ピックアップを比較的高速の第２速度で移動させる。本願明細書では、このような第２速度によるピックアップの移動を「潤滑剤斑解消処理」と適宜呼ぶこととする。かかる潤滑剤斑解消処理とは、トレース方向についての「潤滑剤を均す処理」ということもできる。【００１２】
しかも本発明では、このような潤滑剤斑解消処理は、記録媒体へ情報を書き込みしない又は記録媒体から情報を読み取りしない時間帯に実行される。ここに本発明に係る「時間帯」とは、一連の記録動作中又は再生動作中における中断（例えば、細かい記録データ単位についての、個々の書き込み終了又は個々の読み取り終了）であってもよい。或いは、一連の記録動作又は再生動作の停止（例えば、全データについての書き込み完了又は読み取り完了）であってもよい。いずれにせよ、通常動作時における書き込みや読み取りの合間である。従って、記録動作中における書き込みの中断期間或いは休止期間や、再生動作中における読み取りの中断期間或いは休止期間を利用して潤滑剤斑解消処理を実行すれば、この処理のために、記録又は再生時間が長くなってしまう不都合を未然防止できる。【００１３】
また本発明に係る「第２速度」は、第１速度より高い限りにおいて任意でよく、第１速度の際の毛細減少で不均一とされた潤滑剤を多少なりとも均す効果はある。また、移動制御手段による移動能力が許容する限りにおいて、高速であってもかまわない。好ましくは、第２速度を、例えば、シーク動作、サーチ動作、ジャンプ動作などの、移動制御手段が本来備えた他の用途の際に採用する速度と同じ又は類似としておくことで、第２速度として専用の速度で移動させるための特別の機構を追加的に設けることを要しない。或いは、スライダ又はステッピングモータの仕様に変更を加える必要もない。【００１４】
このように、通常書き込み又は読み取り時におけるトレース送り動作時の速度よりも素早く動かされるピックアップを使って、シャフト等の棒状部材における滑動用の表面上にて、潤滑剤斑解消処理を実行できる。【００１５】
これらの結果、棒状部材上をピックアップが移動する際に発生する雑音や摩擦を低減可能となる。よって、仮に前述の従来技術（特許文献１参照）の如く、ピックアップに隣接してマイクロフォンが配置されている携帯型の場合であっても、マイクロフォンで拾うべき音に機械雑音が混入するのを効果的に防止できる。かかる雑音は、仮に極低レベルであっても、雑音の発生位置がマイクロフォンに近接していると共にマイクロフォンが高性能であるが故に、録音対象となる音に対して重大な雑音となり得る。よって、本発明は、携帯型の場合に特に、実践上極めて有効である。或いは、マイクロフォンを伴わない情報装置においても、ピックアップを介して読み取られる再生信号中や、書き込まれる記録信号中における雑音成分を低減できる。しかも、摩擦を小さく抑えることで、ピックアップの寿命を長くすることにも繋がり、更に、トレース送り動作やスライダ又はステッピング動作中に発生し得る、摩擦による動作不良についても効果的に低減できる。【００１６】
以上のように本発明によれば、簡単にして、ピックアップの移動時に発生し得る雑音或いは摩擦を低減可能である。【００１７】
本発明に係る情報装置の一実施形態では、前記移動制御手段は、前記ピックアップを、前記第１速度で移動させる前記トレース方向に沿った順方向に対して、逆である逆方向に、前記第２速度で移動させる。【００１８】
この態様によれば、次のような場合に特に、潤滑剤を効率的に均すことが可能となる。即ち、ピックアップが、例えば外周側に向かう径方向又は斜め外周へ向かう斜め径方向のなど、順方向に第１速度で（即ち、ゆっくりと）通過した後における棒状部材の表面部分上に、潤滑剤が僅かしか残されていない場合がある。この場合、ピックアップを逆方向にしかも第２速度で（即ち、素早く）移動させる。かかるピックアップの移動によって、前述の潤滑剤が僅かとなった表面部分上において、潤滑剤を効率良く、しかも短時間で増加させることが可能となる。【００１９】
この態様では、前記移動制御手段は、前記ピックアップを前記逆方向に移動させるのに相前後して、前記ピックアップを前記順方向に前記第１速度よりも高い前記第２速度と同じ又は異なる第３速度で移動させてもよい。【００２０】
このように構成すれば、ピックアップが通過した後における棒状部材の表面部分上に潤滑剤が僅かしか残されていなくても、ピックアップを逆方向にしかも第２速度で（即ち、素早く）移動させ且つ順方向にしかも第３速度で（即ち、素早く）移動させることで、即ち素早い往復運動によって、前述の潤滑剤が僅かとなった表面部分上において、潤滑剤を極めて効率良く、しかも短時間で増加させることが可能となる。【００２１】
本発明に係る情報装置の他の実施形態では、前記移動制御手段は、前記ピックアップが前記第１速度で所定距離だけ移動する毎に、前記ピックアップを前記第２速度で移動させる。【００２２】
この態様によれば、次のような場合に特に、潤滑剤を効率的に均すことが可能となる。即ち、ピックアップが、順方向に第１速度で（即ち、ゆっくりと）、長距離に渡って継続的に移動した後における棒状部材の表面部分上に、潤滑剤が僅かしか残されていない場合がある。ピックアップによる毛細管現象が長距離に渡って継続的に発生すると、潤滑剤が相対的には大量にピックアップに引き摺られていくので、この傾向が出易い。かかるピックアップの長距離に及ぶ継続的な移動は、例えば記録又は再生すべきコンテンツ情報の種類によっては或いは記録方式によっては、特に対策を施さない限り、大なり小なり発生してしまう。【００２３】
しかるに本態様の場合、ピックアップが第１速度で（即ち、ゆっくりと）所定距離だけ移動する毎に、ピックアップを、例えば逆方向に、第２速度で（即ち、素早く）移動させる。かかるピックアップの移動によって、前述の潤滑剤が僅かとなった表面部分上において、潤滑剤を効率良く、しかも短時間で増加させることが可能となる。【００２４】
本発明に係る「所定距離」は、潤滑剤の種類、棒状部材の表面の素材、これに対面するピックアップの表面の素材、両表面間の隙間などの個別状況に応じて、固定値又は所定関数値として予め設定可能である。例えば、ピックアップが棒状部材上でそれ以上の距離を第１速度で継続的に移動すると、第２速度による一回又は複数回の移動によってでは斑を均すことが困難となる限界的な距離未満となる距離として、予め実験的、経験的若しくは理論的に、又はシミュレーションによって設定される。【００２５】
或いは本発明に係る情報装置の他の実施形態では、前記移動制御手段は、前記ピックアップが前記情報を区分して書き込み又は読み取りする際における区分の切れ間を、前記時間帯として、前記ピックアップを前記第２速度で移動させる。【００２６】
この態様によれば、次のような場合に特に、潤滑剤を効率的に均すことが可能となる。即ち、記録又は再生方式によっては、ピックアップが、記録中又は再生中に、順方向に第１速度で（即ち、ゆっくりと）、区分された第ｎ（但し、ｎは自然数）番目の情報群或いは情報片を書き込みする又は読み取りする間だけ移動し、そこで一旦、所定時間だけ書き込み又は読み取り並びにそのためのピックアップ移動を休止（又は中断若しくは停止）してから、第ｎ＋１番目の情報群或いは情報片を書き込みする又は読み取りする間だけ移動する場合がある。即ち、一連の記録或いは記録動作が、相互間に休止時間帯を挟む複数の書き込み動作から構成されたり、一連の再生或いは再生動作は、相互間に休止時間帯を挟む複数の読み取り動作から構成される場合がある。このような場合に、かかる書き込み又は読み取りする際の区分の切れ間である、時間帯（即ち、休止時間帯）を有効活用して、ピックアップを、例えば逆方向に、第２速度で（即ち、素早く）移動させる。かかるピックアップの移動によって、元々書き込み時間と休止時間との合算時間からなる記録に要する記録時間や、元々読み取り時間と休止時間との合算時間からなる再生に要する再生時間に対して、悪影響を殆ど又は全く及ぼすことはない。このように記録又は再生時間を殆ど又は全く長めることなく、潤滑剤が僅かとなった表面部分上において、潤滑剤を効率良く、しかも短時間で増加させることが可能となる。【００２７】
この態様では、前記移動制御手段は、前記ピックアップが前記第１速度で所定距離だけ移動した後に最初に到来する前記切れ間を、前記時間帯として、前記ピックアップを前記第２速度で移動させてもよい。【００２８】
このように構成すれば、前述した所定距離毎にピックアップを第２速度で移動させる態様の場合と同様に、「所定距離」を固定値又は所定関数値として予め設定することで、実践的な意味で必要最低限に近い頻度で或いは殆ど過不足のない頻度で、潤滑剤を均す動作を実行することが可能となる。しかも、この際、休止時間帯を利用して潤滑剤斑解消処理を実行することになるので、記録又は再生時間を長めることがないので、極めて有利である。【００２９】
この場合更に、前記移動制御手段は、前記ピックアップが前記第１速度で前記所定距離だけ移動した際に前記潤滑剤に斑が生じた旨を示すフラグを立て、前記切れ間が到来した際に、前記フラグにより前記斑が生じた旨が示されている場合に、前記ピックアップを前記第２速度で移動させてもよい。【００３０】
このように構成すれば、移動制御手段によって、ピックアップが第１速度で所定距離だけ移動した際にフラグが立てられる。その後、区分の切れ間が到来した際に、フラグが参照され、斑が生じた旨が示されている場合に、言い換えれば第１速度によるトレース送り動作が行われた旨が示されている場合に、ピックアップは、移動制御手段によって、第２速度で移動され、潤滑剤斑解消処理が実行される。このようにフラグを採用することで、確実に且つ比較的容易に、ピックアップが第１速度で所定距離だけ移動した後に最初に到来する前記切れ間を、潤滑剤斑解消処理を実行する時間帯として利用できる。【００３１】
或いは本発明に係る情報装置の他の実施形態では、前記ピックアップが前記情報を書き込み又は読み取りする際に前記第１速度で移動した前記トレース方向の位置を記憶する記憶手段を更に備え、前記移動制御手段は、前記ピックアップが前記情報を書き込み又は読み取りした後に、前記ピックアップを、前記記憶された位置の少なくとも一部を通過するように前記第２速度で移動させる。【００３２】
この態様によれば、次のような場合に特に、潤滑剤を効率的に均すことが可能となる。即ち、記録又は再生方式によっては、一連の記録或いは記録動作が、一連の書き込み動作から構成されたり、相互間に休止時間帯を挟む複数の書き込み動作から構成される場合がある。又は一連の再生或いは再生動作が、一連の読み取り動作から構成されたり、相互間に休止時間帯を挟む複数の読み取り動作から構成される場合がある。このような場合に、潤滑剤斑解消処理を挟むことなく継続して行った一又は複数の書き込み動作や読み取り動作の実行中に、第１速度で移動したトレース方向の位置（即ち、個々の位置やこれらをまとめた範囲）が、例えばメモリ等の記憶手段によって記憶される。その後、ピックアップが情報を書き込み又は読み取りした後になって、移動制御手段によって、ピックアップは記憶された位置の少なくとも一部を通過するように第２速度で移動され、既に通過したことで潤滑剤が少なくなった箇所を認識した上で、この箇所に的を絞って潤滑剤斑解消処理を実行することが可能となる。このように、確実にして、潤滑剤が僅かとなった表面部分上に的を絞って、潤滑剤斑解消処理を実行することが可能となる。【００３３】
この記憶手段を備える態様では、前記移動制御手段は、前記第２速度での移動として、前記記録媒体に対するシーク若しくはサーチ動作と同様の動作又は該シーク若しくはサーチ動作を兼ねる動作を行ってもよい。【００３４】
このように構成すれば、シーク若しくはサーチ動作と同様の動作で潤滑剤斑解消処理を実行でき、当該潤滑剤斑解消処理のために特別な機構や回路等は必要となくなる。このため、装置構成の単純化を図る上で大変有利である。或いは、シーク若しくはサーチ動作を兼ねる動作により、潤滑剤を均すことができるので、装置構成の単純化と共に潤滑剤斑解消処理を実行する頻度を抑える上でも大変有利である。【００３５】
この記憶手段を備える態様では、前記移動制御手段は、前記ピックアップが前記情報を区分して書き込み又は読み取りする際における全区分に係る情報の書き込み又は読み取りを完了した後に、前記ピックアップを前記第２速度で移動させてもよい。【００３６】
このように構成すれば、棒状部材上で比較的長距離を占める潤滑剤が減った領域に対し、ピックアップの比較的大きく且つ単純な動作により、一括して潤滑剤斑解消処理を実行することが可能となる。【００３７】
本発明に係る情報装置の他の実施形態では、当該情報装置は、一つの本体ケース内に、前記情報の少なくとも一部としての音声情報を取得するマイクロフォンと共に収容されている。【００３８】
この態様によれば、当該情報装置は、例えば携帯型或いはポータブルタイプの光ディスクドライブ内蔵型のビデオカメラであるので、同一の本体ケース内では、マイクロフォンと、ピックアップとが、相互に近接配置されることになる。従って、この場合には特に、仮に棒状部材の表面上で雑音が発生してしまった場合における実害が顕在化する。しかるに実際には、棒状部材の表面上における潤滑剤は均されているので、特に記録時に、この表面上を第１速度で移動するピックアップによって発生する雑音は低減されている。よって、マイクロフォンが拾う雑音による実害が顕在化することを未然防止できる。【００３９】
本発明のピックアップ移動制御方法は上記課題を解決するために、記録媒体に情報の書き込み及び読み取りのうち少なくとも一方を行うためのピックアップと、前記記録媒体の記録面に対するトレース方向に沿って長手状に延びると共に前記ピックアップが滑動可能に装着される表面を有する棒状部材と、前記ピックアップを前記表面上で前記トレース方向に、少なくとも速度可変で移動させる移動制御手段とを備えており、前記表面上には、流動性の潤滑剤が配置されている情報装置において、前記ピックアップの移動を制御するピックアップ移動制御方法であって、前記書き込み又読み取りを行う際に、前記移動制御手段によって、前記ピックアップを前記書き込み又は読み取り用の第１速度で移動させる書き込み又は読み取り工程と、前記書き込み又は読み取りを行わない時間帯に、前記潤滑剤を前記表面上に均すために、前記移動制御手段によって、前記ピックアップを前記第１速度よりも高い第２速度で移動させる潤滑剤斑解消工程とを備える。【００４０】
本発明のピックアップ移動制御方法によれば、通常の書き込み又は読み取り工程に加えて、潤滑剤斑解消工程を備えるので、上述した本発明の情報装置の場合と同様に、
書き込み又は読み取りを行わない時間帯に、棒状部材における潤滑剤が減った表面部分に対して、潤滑剤を増加させることが可能となる。【００４１】
尚、本発明のピックアップ移動制御方法においても、上述した本発明の情報装置における各種態様と同様の各種態様を採ることが可能である。【００４２】
本発明の作用及び他の利得は次に説明する実施するための最良の形態から明らかにされよう。【００４３】
以上詳細に説明したように、本発明に係る情報装置によれば、ピックアップ、棒状部材及び移動制御手段を備えるので、簡単にして、ピックアップの移動時に発生し得る雑音或いは摩擦を低減可能である。また、本発明に係るピックアップ移動制御方法によれば、書き込み又は読み取り工程、並びに潤滑剤斑解消工程を備えるので、簡単にして、ピックアップの移動時に発生し得る雑音或いは摩擦を低減可能である。
【産業上の利用可能性】
【００４４】
本発明に係る情報装置及びピックアップ移動制御方法は、例えば、ＤＶＤレコーダ、ＢＤレコーダ、ＨＤＤレコーダ等の光ディスク装置に利用可能であり、特に、携帯型或いはポータブル型のビデオカメラに内蔵されるＤＶＤレコーダ等の光ディスク装置に好適に利用可能である。また、例えば民生用或いは業務用の各種コンピュータ機器に搭載される又は各種コンピュータ機器に接続可能な情報装置等にも利用可能である。
【図面の簡単な説明】
【００４５】
【図１】本発明の第１実施形態に係る光ディスク装置の構成を示すブロック図である。
【図２】第１実施形態に係る、光ピックアップのトレース送り動作、スライダ又はステッピング動作等に係る駆動機構の詳細を示す、部分平面図である。
【図３】第１実施形態に係る、トレース送り動作及びオイル斑解消処理の動作の概念を、光ディスクの径方向位置に対応付けて示す図式的平面図である。
【図４】第１実施形態に係る、トレース送り動作及びオイル斑解消処理の動作の流れを示すフローチャートである。
【図５】本発明の第２実施形態に係る、トレース送り動作及びオイル斑解消処理の動作の概念を示す、図式的平面図である。
【図６】第２実施形態の変形例を示す図式的平面図である。
【図７】第２実施形態に係る、トレース送り動作及びオイル斑解消処理の動作の流れを示す、フローチャートである。
【図８】本発明の第３実施形態に係る、トレース送り動作及びオイル斑解消処理の動作の概念を示す図式的平面図である。
【図９】第３実施形態に係る、トレース送り動作及びオイル斑解消処理の動作の流れを示すフローチャートである。
【図１０】第３実施形態で用いられオイル斑解消処理済みを示すフラグを含む、オイル斑解消処理管理テーブルを示す概念図である。
【図１１】本発明の第４実施形態に係る、トレース送り動作及びオイル斑解消処理の動作の概念を示す図式的平面図である。
【図１２】第４実施形態に係る、トレース送り動作及びオイル斑解消処理の動作の流れを示すフローチャートである。
【符号の説明】
【００４６】
２  移動制御部
４  コントローラ
６  メモリ
８  記録・再生処理部
１２  光ピックアップ
１３、１４  ガイドシャフト
３０  駆動部
３２  ステッピングモータ
１００  光ディスク装置
５００  光ディスク
５０２  本体ケース
５０３  マイクロフォン
６００  テーブル
６０１  処理済みフラグ
【発明を実施するための最良の形態】
【００４７】
以下、発明を実施するための最良の形態として、本発明の情報装置の一例としての携帯型の光ディスク装置、及び本発明のピックアップ移動制御方法の一例としての該光ディスク装置における光ピックアップの移動制御方法に係る実施形態の説明を進める。【００４８】
＜第１実施形態＞
本発明の第１実施形態に係る光ディスク装置について、図１から図４を参照して説明する。【００４９】
先ず、本発明の第１実施形態に係る光ディスク装置の構成について、図１を参照して説明する。ここに図１は、第１実施形態に係る光ディスク装置の構成を示すブロック図である。【００５０】
図１に示すように、本実施形態に係る光ディスク装置１００は、移動制御部２、記録・再生処理部８、光ピックアップ（ＰＵ）１２、ガイドシャフト１３及び１４、本体ケース５０２、並びにマイクロフォン５０３を備えて構成されている。光ディスク装置１００には、情報の記録時又は再生時に、光ディスク５００がローディングされる。【００５１】
移動制御部２は、矢印３０ａの如き光ディスク５００の径方向に一致するトレース方向に光ピックアップ１２を移動するためのステッピングモータ又はスライダモータを有する駆動部３０と、駆動部３０による移動速度や移動範囲等を制御するコントローラ４と、駆動部３０による移動範囲や後述のオイル斑解消処理を施した範囲等を記憶するためのメモリ６とを備える。【００５２】
駆動部３０及びコントローラ４は、通常動作或いはトレース送り動作、シーク動作など、実行しようとする動作に応じて、速度可変にて、光ピックアップ１２を移動させる。コントローラ４は、光ピックアップ１２に係る通常動作時におけるトレース送り動作や、シーク動作、サーチ動作、ジャンプ動作の他に、後に詳述する「オイル斑解消処理」を実行するように構成されている。【００５３】
記録・再生処理部８は、情報の記録時に、入力される記録データＤｒｅｃに基づいて、所定の記録データブロック単位での一連の書き込み動作の各々により書き込み可能な書き込みデータＤｗを生成し、光ピックアップ１２に対して出力する。或いは、記録・再生処理部８は、情報の再生時に、所定の再生データブロック単位での一連の読み取り動作の各々により読み取られた読み取りデータＤｒから、再生データＤｒｅｐを生成し、出力するように構成されている。【００５４】
記録・再生処理部８は、コントローラ４からの制御信号Ｓｃによる制御を受けることで、駆動部３０による駆動動作と連動した記録又は再生動作が可能となるように構成されている。或いは、コントローラ４は、記録・再生処理部８からのその動作状態を示す状態信号Ｓｓを参照することで、記録・再生処理部８の記録・再生動作と連動した光ピックアップ１２の駆動が可能となるように構成されている。【００５５】
光ピックアップ１２は、情報の記録時に、書き込み用レーザを照射して、書き込みデータＤｗを光ディスク５００に書き込んだり、情報の再生時などに、読み取り用レーザを照射して、読み取りデータＤｒを光ディスク５００から読み取るように構成されている。【００５６】
ガイドシャフト１３及び１４は、セットされた光ディスク５００の径方向に沿って平行に並べられた一対のシャフトであり、その表面には、本発明に係る「潤滑剤」の一例として、不揮発性の潤滑用のオイルが塗布されている。このようなオイルは、製品完成後或いは出荷前に、塗布されることを最後に、二度と塗布されなくてもよいが、メンテナンス時などに再度塗布されてもよい。或いは、より頻繁にオイルを自動又は手動により棒状部材の表面上に供給する構成を採用してもよい。ガイドシャフト１３及び１４は、それらの表面上を、塗布されたオイルを介して、光ピックアップ１２が滑動するように構成されている。本実施形態では、本発明に係る「棒状部材」の一例が、ガイドシャフト１３及び１４の各々から構成されている。尚、本実施形態では、棒状部材の一例としてガイドシャフトが二本存在しているが、このようなシャフトは一本でもよく、或いは三本以上でもよい。【００５７】
本体ケース５０２は、携帯可能な程度にコンパクト設計されており、ポータブルビデオカメラの一部として、例えばカメラ本体に対して開閉可能に取り付けられている。他方、マイクロフォン５０３は、カメラにより撮影される画像データに同期して、音声データＤmicを拾うように構成されている。特に、光ディスク装置１００においては、そのコンパクト設計から、マイクロフォン５０３の取り付け位置は、光ピックアップ１２或いは一対のガイドシャフト１３及び１４に対して、例えば、数ミリメートルから数センチメートルなど、極近い位置に取り付けられることになる。【００５８】
ここで、以上のように構成された光ディスク装置１００のうち、光ピックアップ１２をトレース方向に移動させる駆動機構に関連する部分の具体的な構成の一例について、図２を参照して説明する。ここに図２は、光ピックアップのトレース送り動作、スライダ又はステッピング動作等に係る駆動機構の詳細を示す、部分平面図である。【００５９】
図２に例示するように、光ディスク装置１００は、光ピックアップ１２をトレース方向に移動させる駆動機構に関連する部分として、ベースシャーシ１０と、対物レンズ１１と、ピックアップ１２と、主軸としてのガイドシャフト１３と、副軸としてのガイドシャフト１４と、停止壁１５、停止壁１６、停止壁１７及び停止壁１８と、ジョイントユニット２１と、駆動シャフト３１と、ステッピングモータ３２と、スピンドルモータ４０とを備える。【００６０】
この例では、ジョイントユニット２１、駆動シャフト３１及びステッピングモータ３２から、図１に示した駆動部３０の一例が構成されている。【００６１】
図２において、ベースシャーシ１０は、ガイドシャフト１３及び１４、停止壁１５、１６、１７及び１８、駆動シャフト３１、ステッピングモータ３２、並びにスピンドルモータ４０を保持している。【００６２】
対物レンズ１１を保持するピックアップ１２は、ガイドシャフト１３及び１４の各々の上を、図２中の上下方向であるトレース方向に滑動によりスライド可能なように、ガイドシャフト１３及び１４に取り付けられている。【００６３】
ガイドシャフト１３及び１４の表面には、潤滑用のオイル１３ａ及び１４ａが夫々塗布されている。【００６４】
ジョイントユニット２１は、ピックアップ１２と駆動シャフト３１とを接続するように機能する。具体的には、ジョイントユニット２１は、ピックアップ１２に固定されている。ジョイントユニット２１は、ガイド爪２１１を備えており、該ガイド爪２１１は、駆動シャフト３１のスクリュー溝３１１と係合している。【００６５】
そして、ステッピングモータ３２が動作すると、ステッピングモータ３２の軸に接続されている駆動シャフト３１が回転する。駆動シャフト３１の回転に伴って、スクリュー溝３１１とガイド爪２１１とがギヤの如くかみ合う。これにより、ジョイントユニット２１が図２中の上下方向にスライドする。ジョイントユニット２１のスライドに伴って、ジョイントユニット２１が固定されているピックアップ１２も、図２中の上下方向にスライドする。【００６６】
スピンドルモータ４０は、図２中点線にて示す光ディスク５００を所定の回転速度で回転させる。【００６７】
以上のように構成された本実施形態では特に、移動制御部３０は、光ピックアップ１２により書き込み又読み取りを行う際に、光ピックアップ１２を、本発明に係る「第１速度」の一例としての、書き込み又は読み取り用のトレース動作を行う際における光ピックアップ１２の移動速度である「トレース速度」で移動させる。他方で、書き込み又は読み取りを行わない時間帯に、光ピックアップ１２を、トレース速度よりも高い、本発明に係る「第２速度」の一例としての、シーク動作を行う際における光ピックアップ１２の移動速度である「シーク速度」で移動させる。そして、移動制御部３０は、このシーク速度で光ピックアップ１２を移動させる処理が、ガイドシャフト１３及び１４の表面上における「オイル斑解消処理」或いは「オイルを均す処理」となるように構成されている。【００６８】
次に、本実施形態に係る「オイル斑解消処理」について、図３及び図４を参照して説明する。ここに図３は、トレース送り動作及びオイル斑解消処理の動作の概念を、光ディスク５００の径方向位置に対応付けて示す図式的平面図であり、図４は、トレース送り動作及びオイル斑解消処理の動作の流れを示すフローチャートである。【００６９】
図３に示すように、第１実施形態では、書き込みデータＤｗの書き込み時又は読み取りデータＤｒの読み取り時には、光ピックアップ１２が、光ディスク５００の外周側に向かってトレース方向に、矢印Ｔ１のようにトレース速度でトレース送りされつつ、書き込み又は読み取りが実行される。その後、所定距離だけこのようなトレース送りが実行されると、書き込みデータＤｗの書き込み又は読み取りデータＤｒの読み取りは、中断若しくは休止される。そして、オイル斑解消処理として、光ピックアップ１２が光ディスク５００の内周側に向かってトレース方向に、矢印Ｒ１のようにシーク速度で一往復する処理が実行される。このようなオイル斑解消処理が、所定距離だけトレース送りが実行される都度に、矢印Ｔ１、矢印Ｒ１、矢印Ｔ２、矢印Ｒ２、矢印Ｔ３、矢印Ｒ３、…という順番で繰り返し実行される。【００７０】
図４において、先ず、光ディスク装置１００に、情報の記録用又は再生用に、光ディスク５００がローディングされた状態で、記録又は再生を開始する旨のコマンド入力に応じて、光ピックアップ１２のトレース送り並びに記録又は再生が開始される（ステップＳ１１）。本実施形態では、個々の記録データブロックの区切りや再生データブロックの区切りについては、考慮されないものとする。【００７１】
ステップＳ１１のトレース送りによる光ピックアップ１２の移動距離は、コントローラ４によって、モニタリングされる（ステップＳ１２）。【００７２】
続いて、ステップＳ１２でモニタリングされた移動距離が、予め設定された判定閾値となる所定距離Ｄｔｈに満たないか否かの判定がコントローラ４により行われる（ステップＳ１３）。ここで用いる「所定距離Ｄｔｈ」は、オイルの種類、ガイドシャフト１３及び１４の表面の素材、これに対面する光ピックアップ１２の表面の素材、両表面間の隙間などの個別状況に応じて、固定値又は所定関数値として予め設定される。例えば、光ピックアップ１２がガイドシャフト１３及び１４上でそれ以上の距離をトレース速度で継続的に移動すると、シーク速度による一回の移動によってではオイル斑を均すことが困難となる限界的な距離未満となる距離として、予め実験的、経験的若しくは理論的に、又はシミュレーションによって設定される。或いは、シーク速度による移動によって余裕を持って確実にオイル斑を均すことが可能である距離未満となる距離として設定される。かかる所定距離Ｄｔｈは、このような実験等によって予め設定される、固定値であってもよいし又は所定パラメータの関数値（即ち、可変値）であってもよい。前者の固定値を採用すれば、製品出荷時等に既に設定されている所定距離を用いて、オイル斑を解消させる処理の単純化を図ることができる。後者の関数値を採用すれば、ユーザによる使用中における適当な頻度で又はリアルタイム的に、関数計算やテーブル参照を行うことによって、実際の動作状況に合わせて、より確実且つ無駄なくオイル斑を解消させることが可能となる。【００７３】
ステップＳ１３の判定の結果、モニタリングされた移動距離が、所定距離Ｄｔｈに達している場合（ステップＳ１３：ＮＯ）、オイル斑解消処理を施すべき時が到来しているものとして、書き込み又は読み取り動作が中断若しくは休止され、図３の矢印Ｒ１、Ｒ２、Ｒ３、…の如くに、オイル斑解消処理が実行される（Ｓ１４）。より詳細には、ステップＳ１１において、ガイドシャフト１３及び１４の滑動用の外部表面とこれに対面する光ピックアップ１２の内部表面部分との間の微小空間における毛細管現象の影響で、オイルは、ガイドシャフト１３及び１４の表面のうち、光ピックアップ１２付近に寄せられる。しかも、このような毛細管現象は、光ピックアップ１２をゆっくりと移動させた場合ほど、顕著に現れる。実際上は、一般に利用されるトレース速度で光ピックアップ１２を移動させたのでは、このような毛細管現象による悪影響は、顕在化することが確認されている。そこでステップＳ１４におけるオイル斑解消処理では、謂わばペンキを素早く動かされる刷毛によって被塗装面の全域に均す要領で、光ピックアップ１２付近に寄せられたオイルを均す。即ち、光ピックアップ１２を素早く動かされる刷毛として機能させる。これにより、ガイドシャフト１３及び１４の表面上におけるトレース方向位置についてのオイルの斑を解消できる。【００７４】
その後又はステップＳ１４の処理と並行して若しくは相前後して、Ｓ１２でモニタリングされる移動距離がリセットされる。即ち、その後は、最新のオイル処理が施されたトレース方向位置を基準として、ステップＳ１２における移動距離のモニタリングが行われる（ステップＳ１４）。尚、このような移動距離の基準となるトレース方向位置は、コントローラ４によって、メモリ６に記憶され、適宜に参照される。【００７５】
その後、記録すべき記録データＤｒｅｃの全記録又は再生すべき再生データＤｒｅｐの全再生が完了したか否かがコントローラ４により判定される（ステップＳ１６）。【００７６】
他方、ステップＳ１３の判定の結果、モニタリングされた移動距離が、所定距離Ｄｔｈに満たない場合（ステップＳ１３：ＹＥＳ）、オイル斑解消処理を施すべき時が到来していないものとして、直接、このステップＳ１６の判定処理へと進む。【００７７】
ステップＳ１６の判定の結果、完了していなければ（ステップＳ１６：ＮＯ）、ステップＳ１１に戻り、上述のオイル斑解消処理を伴う記録又は再生処理が続行される。他方、完了していれば（ステップＳ１６：ＹＥＳ）、オイル斑解消処理を伴う一連の記録又は再生処理が終了される。【００７８】
以上にように本実施形態によれば、シーク速度にて素早く動かされる光ピックアップ１２を使って、適当な頻度にて且つ短時間で、オイルを均す処理を実行できる。しかも、このようなオイル斑解消処理は、概ね、コントローラ４によるソフトウエア的な制御により実行できるので、装置構成の複雑化を避ける意味で、実践上極めて有利である。【００７９】
また特に、光ピックアップ１２或いはガイドシャフト１３及び１４に近接して配置されるマイクロフォン５０３が拾うべき記録音中に、オイル不足に起因した機械雑音が混入するのを効果的に防止できる。因みに、オイル斑解消処理において機械雑音が大なり小なり発生し得るものの、かかる処理は、書き込み動作の合間を縫って行われるので、記録音中に、かかる処理で発生する機械雑音が混入することはない。【００８０】
尚、図３に矢印Ｒ１、Ｒ２、Ｒ３、…で示したオイル斑解消処理における光ピックアップ１２の動きは、往復動作の両方共に、シーク速度で行うようにしているが、内周側へ向かう際の速度と外周側へ向かう際の速度とを相異なる値としてもよい。また、図３に矢印Ｒ１、Ｒ２、Ｒ３、…で示したオイル斑解消処理における光ピックアップ１２の動きは、一往復の往復運動としているが、二往復或いはそれ以上の往復運動を、常時に又は適宜に行うようにしてもよい。加えて、図３に矢印Ｒ１、Ｒ２、Ｒ３、…で示したオイル斑解消処理における光ピックアップ１２の動きは、最初に内周側へ向かいその後に外周側に向かうが、通常動作時におけるトレース方向やトレースの仕方によっては、最初に外周側へ向かいその後に内周側に向かうようにしてもよい。例えば、書き換え可能な二層ディスクや多層ディスクに記録する際における通常動作時には、より複雑なトレース送り動作が行われる。この場合、オイル斑解消処理における光ピックアップ１２の動きも、複雑化するが、オイル斑解消処理に係る基本原理は同じである。【００８１】
＜第２実施形態＞
本発明の第２実施形態に係るディスク装置について、図５から図７を参照して説明する。ここに図５は、第２実施形態に係る、トレース送り動作及びオイル斑解消処理の動作の概念を示す、図３と同趣旨の図式的平面図であり、図６は、その変形例を示す図式的平面図である。図７は、第２実施形態に係る、トレース送り動作及びオイル斑解消処理の動作の流れを示す、図４と同趣旨のフローチャートである。【００８２】
第２実施形態のハードウエア的な構成は、上述の図１及び図２に示した第１実施形態と同様である。このため、第２実施形態に係るハードウエア的な各構成要については、図１及び図２並びに、それらの説明を援用する。第２実施形態は、ソフトウエア的な構成及びコントローラ４により実行されるオイル斑解消処理の実行時期等のやり方が、第１実施形態と異なる。このため、本実施形態では、第１実施形態と異なる点について詳細に説明し、第１実施形態と同様の構成或いは同様の処理については、その説明を適宜省略する。特に、図７のフローチャートについては、図４と同様の処理には、同様のステップ番号を付し、それらの説明は適宜省略する。【００８３】
図５に示すように、第２実施形態では、書き込みデータＤｗの書き込み時又は読み取りデータＤｒの読み取り時には、光ピックアップ１２が、光ディスク５００の外周側に向かってトレース方向に、矢印Ｔ１のようにトレース速度でトレース送りされつつ、書き込み又は読み取りが実行される。【００８４】
この際、第２実施形態では、第１実施形態の場合とは異なり、情報の記録時には、一連の書き込み動作により書き込まれる書き込みデータＤｗからなる記録データブロックが書き込まれる度に、書き込み動作は、記録方式に応じた固定又は可変の休止時間帯だけ、休止若しくは中断される。或いは、情報の再生時には、一連の読み取り動作により読み取られる読み取りデータＤｗからなる再生データブロックが読み取られる度に、読み取り動作は、再生方式に応じた固定又は可変の休止時間帯だけ、休止若しくは中断される。【００８５】
すると、この休止時間帯を利用して、オイル斑解消処理として、光ピックアップ１２が光ディスク５００の内周側に向かってトレース方向に、矢印Ｒ１のように、例えばシーク速度で、一往復する処理が実行される。即ち、オイル斑解消処理が実行される。ここで好ましくは、記録方式に応じた休止時間帯中だけで、又は、再生方式に応じた休止時間帯中だけで、かかるオイル斑解消処理が完了するように、速度が設定される。例えば、シーク速度での移動によって、かかる休止時間中に、オイル斑解消処理を完了できるのであれば、シーク速度を採用するのがよく、シーク速度での移動によってでは、かかる休止時間中に、オイル斑解消処理を完了できないのであれば、シーク速度よりも更に高速の速度を採用するのがよい。【００８６】
本実施形態では、このようなオイル斑解消処理が、記録データブロックを書き込む都度に、又は再生データブロックを読み取る都度に、矢印Ｔ１、矢印Ｒ１、矢印Ｔ２、矢印Ｒ２、矢印Ｔ３、矢印Ｒ３、…という順番で繰り返し実行される。【００８７】
図６に示すように、本実施形態の変形例として、記録データブロック又は再生データブロックが相対的に長い場合であって、一往復の光ピックアップ１２の往復運動でオイル斑を解消するのが、その長さ故に困難であることが想定される場合には、かかる長い矢印Ｔ２で示されたトレース送りが行われた範囲に対しては局所的に、より念入りのオイル斑解消処理を行うように、二往復以上の往復運動でオイル斑を解消するようにしてもよい。逆に、記録データブロック又は再生データブロックが相対的に短い場合であって、一往復の光ピックアップ１２の往復運動でオイル斑を解消するのが、その長さ故に確実であることが想定される場合には、かかる長い矢印Ｔ１又はＴ３で示されたトレース送りが行われた範囲に対しては局所的に、最低限の、即ち一往復の往復運動のみで、オイル斑を解消するようにしてもよい。例えばコントローラ４により、個々のトレース動作の開始位置（即ち、トレース方向についての開始位置）を示す位置情報を、メモリ６に記憶しておき、オイル斑解消処理を実行する際に、この記憶された情報を参照すれば、連続したトレース送りの長さについては、コントローラ４にて把握可能である。【００８８】
尚、図５及び図６では、記録データブロック又は再生データブロックは、光ディスク５００上で可変長とされているが、これらは、固定長とされてもよい。【００８９】
図７において、先ず、光ディスク装置１００に、情報の記録用又は再生用に、光ディスク５００がローディングされた状態で、記録又は再生を開始する旨のコマンド入力に応じて、光ピックアップ１２のトレース送り並びに記録又は再生が開始される（ステップＳ２１）。本実施形態では特に、個々の記録データブロックの単位で、書き込みが行われるか、又は、個々の再生データブロックの単位で読み取りが行われる。【００９０】
その後、個々の記録データブロックの単位で書き込みが完了したか、又は個々の再生データブロックの単位で読み取りが完了したかが判定される（ステップＳ２２）。ここで、完了していなければ（ステップＳ２２：ＮＯ）、ステップＳ２１に戻って、書き込み又は読み取りが続行される。【００９１】
他方、ステップＳ２２の判定結果において、完了していれば（ステップＳ２２：ＹＥＳ）、オイル斑解消処理を施すのに好適な休止時間帯が到来しているものとして、完了した第ｉ（ｉ＝１、２、３、…）番目の記録又は再生データブロックに対応するガイドシャフト部分に、図５又は図６の矢印Ｒ１、Ｒ２、Ｒ３、…の如くに、オイル斑解消処理が実行される（Ｓ２３）。その内容は、オイル斑解消処理を施す範囲が異なるだけで、先に詳述した第１実施形態におけるオイル斑解消処理と同様である。【００９２】
その後、記録すべき記録データＤｒｅｃの全記録又は再生すべき再生データＤｒｅｐの全再生が完了したか否かがコントローラ４により判定される（ステップＳ１６）。【００９３】
ステップＳ１６の判定の結果、完了していなければ（ステップＳ１６：ＮＯ）、
次に書き込み又は再生される記録又は再生データブロックをカウントするカウント値ｉを一だけインクリメントした上で、ステップＳ２１に戻り、上述のオイル斑解消処理を伴う、第ｉ＋１番目の記録又は再生データブロックに係る書き込み又は読み取り処理が実行される。この場合における、第何番目の記録又は再生データブロックに対応するガイドシャフト部分にオイル斑解消処理を行うかを示すカウント値ｉは、コントローラ４によりメモリ６に格納され、適宜に参照される。【００９４】
他方、ステップＳ１６の判定の結果、完了していれば（ステップＳ１６：ＹＥＳ）、オイル斑解消処理を伴う一連の記録又は再生処理が終了される。【００９５】
以上にように本実施形態によれば、光ピックアップ１２を使って、記録中における書き込み動作の間隙や、再生中における読み取り動作の間隙を縫って、オイル斑解消処理を実行できる。【００９６】
＜第３実施形態＞
本発明の第３実施形態に係るディスク装置について、図８から図１０を参照して説明する。ここに図８は、第３実施形態に係る、トレース送り動作及びオイル斑解消処理の動作の概念を示す、図３と同趣旨の図式的平面図であり、図９は、第３実施形態に係る、トレース送り動作及びオイル斑解消処理の動作の流れを示す、図４と同趣旨のフローチャートである。図１０は、第３実施形態で用いられオイル斑解消処理済みを示すフラグを含む、オイル斑解消処理管理テーブルを示す概念図である。【００９７】
第３実施形態のハードウエア的な構成は、上述の図１及び図２に示した第１実施形態と同様である。このため、第３実施形態に係るハードウエア的な各構成要については、図１及び図２並びに、それらの説明を援用する。第３実施形態は、ソフトウエア的な構成及びコントローラ４により実行されるオイル斑解消処理の実行時期等のやり方が、第１及び第２実施形態と異なる。このため、本実施形態では、第１及び第２実施形態と異なる点について詳細に説明し、第１又は第２実施形態と同様の構成或いは同様の処理については、その説明を適宜省略する。特に、図９のフローチャートについては、図４又は図７と同様の処理には、同様のステップ番号を付し、それらの説明は適宜省略する。【００９８】
図８に示すように、第３実施形態では、図５に示した第２実施形態の場合と同様に、光ピックアップ１２が、矢印Ｔ１のようにトレース送りされつつ、書き込み又は読み取りが実行される。更に、第３実施形態では、第２実施形態の場合と同様に、書き込み動作又は読み取り動作の休止時間帯を利用して、オイル斑解消処理が実行される。【００９９】
ここで第３実施形態では特に、第２実施形態の場合と異なり、矢印Ｔ１、矢印Ｔ２、矢印Ｔ４、矢印Ｔ５のように、個々の記録又は再生データブロックに対応する一連のトレース送り動作による光ピックアップ１２の移動距離が相対的に小さい場合には、休止時間帯の都度に、オイル斑解消処理を実行する必要はないものとして、この処理を行わない。逆に、矢印Ｔ３のように、個々の記録又は再生データブロックに対応する一連のトレース送り動作による光ピックアップ１２の移動距離が相対的に大きい場合には、休止時間帯の都度に、オイル斑解消処理を実行する必要はあるものとして、この処理を行う。そして、休止時間帯にオイル斑解消処理を実行しない場合には、複数の記録又は再生データブロックに対応する、複数回の一連のトレース送り動作が完了した後における、休止時間帯の都度に、オイル斑解消処理を実行する必要はあるものとして、この処理を行う。よって、第２実施形態の場合と比較して、オイル斑解消処理を実行する頻度を下げることが可能となる。【０１００】
ここで、どの程度の移動距離の後であれば、オイル斑解消処理を行い、どの程度の移動距離の後であれば、オイル斑解消処理を行わないかの判断基準としては、第１実施形態で用いた「所定距離」と同一又は類似の基準を採用すればよい。例えば第１実施形態に係る「所定距離」の等倍又はコンマ数倍よりも、長い距離に亘ってトレース送りした後の休止時間帯には、オイル斑解消処理を行い、第１実施形態に係る「所定距離」の等倍又はコンマ数倍よりも、短い距離に亘ってトレース送りした後の休止時間帯には、オイル斑解消処理を行わないように構成すればよい。更に、オイル斑解消処理を行わない場合には、行わなかった距離を累積し、第１実施形態に係る「所定距離」の等倍又はコンマ数倍よりも、累積距離が長くなった際の休止時間帯に、オイル斑解消処理を行うように構成すればよい。【０１０１】
尚、第３実施形態においても、オイル斑解消処理を行おうとする休止時間帯中だけで、オイル斑解消処理が完了するように、移動速度が設定されるのが好ましい。【０１０２】
本実施形態では、このようなオイル斑解消処理が、一若しくは複数の記録データブロックを書き込む都度に、又は、一若しくは複数の再生データブロックを読み取る都度に、矢印Ｔ１、矢印Ｒ１、矢印Ｔ２、矢印Ｒ２、矢印Ｔ３、矢印Ｒ３、…という順番で繰り返し実行される。【０１０３】
図７において、第２実施形態の場合と同様に、光ピックアップ１２のトレース送り並びに記録又は再生が開始され（ステップＳ２１）、第１実施形態の場合と同様に、ステップＳ２１のトレース送りによる光ピックアップ１２の移動距離がモニタリングされ（ステップＳ１２）、第２実施形態の場合と同様に、記録データブロックの単位で書き込みが完了したか、又は再生データブロックの単位で読み取りが完了したかが判定される（ステップＳ２２）。【０１０４】
ステップＳ２２の判定結果において、完了していれば（ステップＳ２２：ＹＥＳ）、第１実施形態の場合と同様に、ステップＳ１２でモニタリングされた移動距離が、所定距離Ｄｔｈに満たないか否かの判定が行われる（ステップＳ１３）。【０１０５】
ステップＳ１３の判定の結果、モニタリングされた移動距離が、所定距離Ｄｔｈに達している場合（ステップＳ１３：ＮＯ）、オイル斑解消処理を施すのに好適な休止時間帯が到来しているものとして、完了しているがオイル斑解消処理が済んでいない、一又は複数の記録又は再生データブロックに対応するガイドシャフト部分に対して、図８の矢印Ｒ１、Ｒ２、Ｒ３、…の如くに、オイル斑解消処理が実行される（Ｓ３１）。その内容は、オイル斑解消処理を施す範囲が異なるだけで、先に詳述した第１実施形態におけるオイル斑解消処理と同様である。【０１０６】
図１０に例示する、本発明に係る「潤滑剤に斑が生じた旨を示すフラグ」の一例である「処理済みフラグ６０１（オイル斑解消処理済みを示すフラグ）」を含む、オイル斑解消処理管理用のテーブル６００を用いれば、ステップＳ３１における、オイル斑解消処理の対象となるガイドシャフト部分は、コントローラ４にて、迅速且つ簡単に特定できる。即ち、コントローラ４は、書き込み又は読み取りに係るトレース動作は完了しているが、オイル斑解消処理が済んでいない、一又は複数の記録又は再生データブロックに対応するガイドシャフト部分を示すトレース方向位置を、特定できる。テーブル６００には、記録データブロック又は再生データブロックの識別番号別に、その開始半径位置を、例えばそのアドレス、距離、座標などの値で示す位置情報と、その終了半径位置を、例えばそのアドレス、距離、座標などの値で示す位置情報とが記述される。そして、これらの位置情報により特定される半径範囲について、オイル斑解消緒処理が施されている場合には、フラグ６０１が“１”とされ、オイル斑解消緒処理が施されていない場合には、フラグ６０１が“０”とされる。フラグ６０１を含むテーブル６００は、メモリ４内に構築される。【０１０７】
再び図９に戻り、ステップＳ３１におけるオイル斑解消処理が実行されると、図１０に例示した如き、その処理が施された半径範囲に対応する箇所のフラグ６０１が更新される。この箇所については、フラグが“１”とされる。【０１０８】
その後又はステップＳ３１からステップＳ３２の処理と並行して若しくは相前後して、第１実施形態の場合と同様に、ステップＳ１２でモニタリングされる移動距離がリセットされ（ステップＳ１５）、続いて、記録データＤｒｅｃの全記録又は再生データＤｒｅｐの全再生が完了したか否かが判定される（ステップＳ１６）。【０１０９】
ステップＳ１６の判定の結果、完了していなければ（ステップＳ１６：ＮＯ）、
第２実施形態の場合と同様に、ステップＳ２４を経てステップＳ２１に戻り、他方、完了していれば（ステップＳ１６：ＹＥＳ）、オイル斑解消処理を伴う一連の記録又は再生処理が終了される。【０１１０】
以上にように本実施形態によれば、光ピックアップ１２を使って、記録中における書き込み動作の間隙や、再生中における読み取り動作の間隙を縫って、しかもオイル斑を解消すべき必要性が高い場合に限って、言い換えれば、低頻度で且つ適宜に、オイル斑解消処理を実行できる。【０１１１】
＜第４実施形態＞
本発明の第４実施形態に係るディスク装置について、図１１及び図１２を参照して説明する。ここに図１１は、第４実施形態に係る、トレース送り動作及びオイル斑解消処理の動作の概念を示す、図３と同趣旨の図式的平面図であり、図１２は、第４実施形態に係る、トレース送り動作及びオイル斑解消処理の動作の流れを示す、図４と同趣旨のフローチャートである。【０１１２】
第４実施形態のハードウエア的な構成は、上述の図１及び図２に示した第１実施形態と同様である。このため、第４実施形態に係るハードウエア的な各構成要については、図１及び図２並びに、それらの説明を援用する。第４実施形態は、ソフトウエア的な構成及びコントローラ４により実行されるオイル斑解消処理の実行時期等のやり方が、第１実施形態と異なる。このため、本実施形態では、第１実施形態と異なる点について詳細に説明し、第１実施形態と同様の構成或いは同様の処理については、その説明を適宜省略する。特に、図１２のフローチャートについては、図４と同様の処理には、同様のステップ番号を付し、それらの説明は適宜省略する。【０１１３】
図１１に示すように、第４実施形態では、第１実施形態と異なり、所定距離毎にオイル斑解消処理が実行されない。或いは、第２又は第３実施形態と異なり、記録データブロックや再生データブロックの区切りに、オイル斑解消処理が実行されない。即ち、第４実施形態では、通常複数の記録データブロックに分割される、一連の記録動作に係る全記録データＤrecの記録が、矢印Ｔ１に示すように完了してから、オイル斑解消処理が、矢印Ｒ１に示すように一括して実行される。或いは、通常複数の再生データブロックに分割される、一連の再生動作に係る全再生データＤrepの再生が、矢印Ｔ１に示すように完了してから、オイル斑解消処理が、矢印Ｒ１に示すように一括して実行される。この際、コントローラ４によって、メモリ６に、一連の記録又は再生動作によりトレース送りが行われた半径位置或いは半径範囲が記憶される。後に、オイル斑解消処理を実行する際には、この記憶された半径位置或いは半径範囲を参照することで、オイル斑処理を施すべきガイドシャフト部分に対してのみ、当該オイル斑解消処理を施すように構成されている。【０１１４】
尚、一往復の光ピックアップ１２の往復運動でオイル斑を解消するのが、その長さ故に困難であることが想定される場合には、より念入りのオイル斑解消処理を行うように、図１１中、矢印Ｒ２で示したように、二往復以上の往復運動でオイル斑を解消するようにしてもよい。【０１１５】
図１２において先ず、第１実施形態の場合と同様に、光ピックアップ１２のトレース送り並びに記録又は再生が開始される（ステップＳ１１）。【０１１６】
ステップＳ１１のトレース送りによる光ピックアップ１２の移動範囲は、コントローラ４によって、モニタリングされ、メモリ４１に記憶される（ステップＳ４１）。この際、最低限の情報として、トレース送りの開始位置をメモリ４１に記憶しておけば、全記録又は全再生完了時における光ピックアップ１２の位置はリアルタイム的に特定可能であるので、ここにいう光ピックアップ１２の移動範囲は特定可能である。【０１１７】
但し、例えば、各記録データブロックの開始又は終了位置や、各再生データブロックの開始位置又は終了位置などを、ここにいう移動範囲を特定するための情報としてメモリ４に記憶させてもよい。特に、二層型の光ディスク或いは多層型の光ディスク、或いは書き換え可能型の光ディスク、ディフェクトマネージメント処理可能な書き換え可能型又は追記型の光ディスクなどでは、書き込み又は読み取りの際のトレース送り動作は、単純な外周方向へ向けての直進運動ではない。よって、光ディスク装置１００における記録又は再生方式に応じて、トレース送りが行われた光ピックアップ１２の移動範囲を、事後的に、特定可能なだけの位置情報を、メモリ６に記憶しておくようにする。【０１１８】
その後、第１実施形態の場合と同様に、記録すべき記録データＤｒｅｃの全記録又は再生すべき再生データＤｒｅｐの全再生が完了したか否かがコントローラ４により判定され（ステップＳ１６）、完了していなければ（ステップＳ１６：ＮＯ）、ステップＳ１１に戻り、記録又は再生処理が継続される。【０１１９】
他方、ステップＳ１６の判定の結果、完了していれば（ステップＳ１６：ＹＥＳ）、ステップＳ４１にてメモリ６に記憶された情報を参照することで、今回の一連の記録又は再生動作で、トレース送りが行われたガイドシャフト部分が、移動範囲として特定され、この特定された移動範囲に対して局所的に、図１１の矢印Ｒ１の如くに、オイル斑解消処理が実行される（Ｓ４３）。その内容は、オイル斑解消処理を施す範囲が異なるだけで、先に詳述した第１実施形態におけるオイル斑解消処理と同様である。【０１２０】
その後、オイル斑解消処理を伴う一連の記録又は再生処理が終了される。【０１２１】
以上にように本実施形態によれば、光ピックアップ１２を使って、一連の記録動作や再生動作が完全に終了した上で、即ち、これらの動作を妨げることは一切無く且つ比較的単純な処理によって、オイル斑解消処理を実行できる。【０１２２】
本実施形態では特に、一方で、トレース送りしたガイドシャフト部分が相対的に広範囲にわたる場合には、図１１の矢印Ｒ１及び矢印Ｒ２に示したように、往復運動を何度も繰り返すなど、より念入りにオイル斑解消処理を実行し、他方で、トレース送りしたガイドシャフト部分が相対的に狭範囲に渡る場合には、図１１の矢印Ｒ１で示したように、往復運動を一度だけ行う又は片道だけ行うなど、より軽微にオイル斑解消処理を実行することも可能である。このように、確実にして、オイルが僅かとなったガイドシャフト部分上に的を絞って、しかもオイルの残量に応じた程度にて、オイル斑解消処理を実行することが可能となる。【０１２３】
以上説明した各実施形態では、オイル斑解消処理は、光ディスク５００に対するシーク若しくはサーチ動作を兼ねる動作により実行されてもよい。この場合、オイル斑解消処理を実行する頻度を抑えることが可能となる。言い換えれば、通常動作におけるシーク動作やサーチ動作が実行される場合には、当該シーク動作やサーチ動作が実行されたガイドシャフト部分については、オイル斑解消処理が、少なくとも部分的に或いは場合により完全に実施されたものとして扱うことも可能である。例えば、第４実施形態において、記録又再生動作の途中で又はこれに相前後して行われたシーク動作やサーチ動作中における光ピックアップ１２の移動範囲を合わせて、メモリ６に記憶させておき、この範囲については、オイル斑解消処理を施すべき範囲から除外して考えることも可能である。【０１２４】
本発明は、上述した実施形態に限られるものではなく、請求の範囲及び明細書全体から読み取れる発明の要旨或いは思想に反しない範囲で適宜変更可能であり、そのような変更を伴う情報装置及びピックアップ移動制御方法もまた本発明の技術的範囲に含まれるものである。
【図１】
2008065700.tif 000003
【図２】
2008065700.tif 000004
【図３】
2008065700.tif 000005
【図４】
2008065700.tif 000006
【図５】
2008065700.tif 000007
【図６】
2008065700.tif 000008
【図７】
2008065700.tif 000009
【図８】
2008065700.tif 000010
【図９】
2008065700.tif 000011
【図１０】
2008065700.tif 000012
【図１１】
2008065700.tif 000013
【図１２】
2008065700.tif 000014
【手続補正書】
【提出日】平成20年9月26日(2008.9.26)
【手続補正１】
【補正対象書類名】特許請求の範囲
【補正対象項目名】全文
【補正方法】変更
【補正の内容】
【特許請求の範囲】
【請求項１】
記録媒体に情報の書き込み及び読み取りのうち少なくとも一方を行うためのピックアップと、
前記記録媒体の記録面に対するトレース方向に沿って長手状に延びると共に前記ピックアップが滑動可能に装着される表面を有する棒状部材と、
前記ピックアップを前記表面上で前記トレース方向に、少なくとも速度可変で移動させる移動制御手段と
を備えており、
前記表面上には、流動性の潤滑剤が配置されており、
前記移動制御手段は、前記書き込み又読み取りを行う際に、前記ピックアップを前記書き込み又は読み取り用の第１速度で移動させ、前記書き込み又は読み取りを行わない時間帯に、前記ピックアップが前記第１速度で所定距離だけ移動する毎に、前記潤滑剤を前記表面上に均すために、前記ピックアップを前記第１速度よりも高い第２速度で移動させる
ことを特徴とする情報装置。
【請求項２】
前記移動制御手段は、前記ピックアップを、前記第１速度で移動させる前記トレース方向に沿った順方向に対して、逆である逆方向に、前記第２速度で移動させることを特徴とする請求の範囲第１項に記載の情報装置。
【請求項３】
前記移動制御手段は、前記ピックアップを前記逆方向に移動させるのに相前後して、前記ピックアップを前記順方向に前記第１速度よりも高い前記第２速度と同じ又は異なる第３速度で移動させる
ことを特徴とする請求の範囲第２項に記載の情報装置。
【請求項４】
（削除）
【請求項５】
前記移動制御手段は、前記ピックアップが前記情報を区分して書き込み又は読み取りする際における区分の切れ間を、前記時間帯として、前記ピックアップを前記第２速度で移動させる
ことを特徴とする請求の範囲第１項に記載の情報装置。
【請求項６】
前記移動制御手段は、前記ピックアップが前記第１速度で所定距離だけ移動した後に最初に到来する前記切れ間を、前記時間帯として、前記ピックアップを前記第２速度で移動させる
ことを特徴とする請求の範囲第５項に記載の情報装置。
【請求項７】
前記移動制御手段は、前記ピックアップが前記第１速度で前記所定距離だけ移動した際に前記潤滑剤に斑が生じた旨を示すフラグを立て、前記切れ間が到来した際に、前記フラグにより前記斑が生じた旨が示されている場合に、前記ピックアップを前記第２速度で移動させる
ことを特徴とする請求の範囲第６項に記載の情報装置。
【請求項８】
前記ピックアップが前記情報を書き込み又は読み取りする際に前記第１速度で移動した前記トレース方向の位置を記憶する記憶手段を更に備え、
前記移動制御手段は、前記ピックアップが前記情報を書き込み又は読み取りした後に、前記ピックアップを、前記記憶された位置の少なくとも一部を通過するように前記第２速度で移動させる
ことを特徴とする請求の範囲第１項に記載の情報装置。
【請求項９】
前記移動制御手段は、前記第２速度での移動として、前記記録媒体に対するシーク若しくはサーチ動作と同様の動作又は該シーク若しくはサーチ動作を兼ねる動作を行う
ことを特徴とする請求の範囲第８項に記載の情報装置。
【請求項１０】
前記移動制御手段は、前記ピックアップが前記情報を区分して書き込み又は読み取りする際における全区分に係る情報の書き込み又は読み取りを完了した後に、前記ピックアップを前記第２速度で移動させる
ことを特徴とする請求の範囲第８項に記載の情報装置。
【請求項１１】
当該情報装置は、一つの本体ケース内に、前記情報の少なくとも一部としての音声情報を取得するマイクロフォンと共に収容されている
ことを特徴とする請求の範囲第１項に記載の情報装置。
【請求項１２】
記録媒体に情報の書き込み及び読み取りのうち少なくとも一方を行うためのピックアップと、前記記録媒体の記録面に対するトレース方向に沿って長手状に延びると共に前記ピックアップが滑動可能に装着される表面を有する棒状部材と、前記ピックアップを前記表面上で前記トレース方向に、少なくとも速度可変で移動させる移動制御手段とを備えており、前記表面上には、流動性の潤滑剤が配置されている情報装置において、前記ピックアップの移動を制御するピックアップ移動制御方法であって、
前記書き込み又読み取りを行う際に、前記移動制御手段によって、前記ピックアップを前記書き込み又は読み取り用の第１速度で移動させる書き込み又は読み取り工程と、
前記書き込み又は読み取りを行わない時間帯に、前記ピックアップが前記第１速度で所定距離だけ移動する毎に、前記潤滑剤を前記表面上に均すために、前記移動制御手段によって、前記ピックアップを前記第１速度よりも高い第２速度で移動させる潤滑剤斑解消工程と
を備えることを特徴とするピックアップ移動制御方法。
【手続補正書】
【提出日】平成21年4月3日(2009.4.3)
【手続補正１】
【補正対象書類名】特許請求の範囲
【補正対象項目名】全文
【補正方法】変更
【補正の内容】
【特許請求の範囲】
【請求項１】
記録媒体に情報の書き込み及び読み取りのうち少なくとも一方を行うためのピックアップと、
前記記録媒体の記録面に対するトレース方向に沿って長手状に延びると共に前記ピックアップが滑動可能に装着される表面を有する棒状部材と、
前記ピックアップを前記表面上で前記トレース方向に、少なくとも速度可変で移動させる移動制御手段と
を備えており、
前記表面上には、流動性の潤滑剤が配置されており、
前記移動制御手段は、前記書き込み又読み取りを行う際に、前記ピックアップを前記書き込み又は読み取り用の第１速度で移動させ、前記書き込み又は読み取りを行わない時間帯に、前記ピックアップが前記第１速度で所定距離だけ移動する毎に、前記潤滑剤を前記表面上に均すために、前記ピックアップを前記第１速度よりも高い第２速度で移動させる
ことを特徴とする情報装置。
【請求項２】
前記移動制御手段は、前記ピックアップを、前記第１速度で移動させる前記トレース方向に沿った順方向に対して、逆である逆方向に、前記第２速度で移動させることを特徴とする請求項１に記載の情報装置。
【請求項３】
前記移動制御手段は、前記ピックアップを前記逆方向に移動させるのに相前後して、前記ピックアップを前記順方向に前記第１速度よりも高い前記第２速度と同じ又は異なる第３速度で移動させる
ことを特徴とする請求項２に記載の情報装置。
【請求項４】
前記移動制御手段は、前記ピックアップが前記情報を区分して書き込み又は読み取りする際における区分の切れ間を、前記時間帯として、前記ピックアップを前記第２速度で移動させる
ことを特徴とする請求項１に記載の情報装置。
【請求項５】
前記移動制御手段は、前記ピックアップが前記第１速度で所定距離だけ移動した後に最初に到来する前記切れ間を、前記時間帯として、前記ピックアップを前記第２速度で移動させる
ことを特徴とする請求項４に記載の情報装置。
【請求項６】
前記移動制御手段は、前記ピックアップが前記第１速度で前記所定距離だけ移動した際に前記潤滑剤に斑が生じた旨を示すフラグを立て、前記切れ間が到来した際に、前記フラグにより前記斑が生じた旨が示されている場合に、前記ピックアップを前記第２速度で移動させる
ことを特徴とする請求項５に記載の情報装置。
【請求項７】
前記ピックアップが前記情報を書き込み又は読み取りする際に前記第１速度で移動した前記トレース方向の位置を記憶する記憶手段を更に備え、
前記移動制御手段は、前記ピックアップが前記情報を書き込み又は読み取りした後に、前記ピックアップを、前記記憶された位置の少なくとも一部を通過するように前記第２速度で移動させる
ことを特徴とする請求項１に記載の情報装置。
【請求項８】
前記移動制御手段は、前記第２速度での移動として、前記記録媒体に対するシーク若しくはサーチ動作と同様の動作又は該シーク若しくはサーチ動作を兼ねる動作を行う
ことを特徴とする請求項７に記載の情報装置。
【請求項９】
前記移動制御手段は、前記ピックアップが前記情報を区分して書き込み又は読み取りする際における全区分に係る情報の書き込み又は読み取りを完了した後に、前記ピックアップを前記第２速度で移動させる
ことを特徴とする請求項７に記載の情報装置。
【請求項１０】
当該情報装置は、一つの本体ケース内に、前記情報の少なくとも一部としての音声情報を取得するマイクロフォンと共に収容されている
ことを特徴とする請求項１に記載の情報装置。
【請求項１１】
記録媒体に情報の書き込み及び読み取りのうち少なくとも一方を行うためのピックアップと、前記記録媒体の記録面に対するトレース方向に沿って長手状に延びると共に前記ピックアップが滑動可能に装着される表面を有する棒状部材と、前記ピックアップを前記表面上で前記トレース方向に、少なくとも速度可変で移動させる移動制御手段とを備えており、前記表面上には、流動性の潤滑剤が配置されている情報装置において、前記ピックアップの移動を制御するピックアップ移動制御方法であって、
前記書き込み又読み取りを行う際に、前記移動制御手段によって、前記ピックアップを前記書き込み又は読み取り用の第１速度で移動させる書き込み又は読み取り工程と、
前記書き込み又は読み取りを行わない時間帯に、前記ピックアップが前記第１速度で所定距離だけ移動する毎に、前記潤滑剤を前記表面上に均すために、前記移動制御手段によって、前記ピックアップを前記第１速度よりも高い第２速度で移動させる潤滑剤斑解消工程と
を備えることを特徴とするピックアップ移動制御方法。
【国際調査報告】
2008065700.tif 000015
2008065700.tif 000016